(57)【要約】  前面が、一方の端部と他方の端部とで５〜２０の明度差を有するようグラデーションが施された扉部材で構成された、少なくとも１つの扉（２ａ，２ｂ，２ｃ）を備えた。
2019163091.tif 000002
【特許請求の範囲】
【請求項１】
前面が、一方の端部と他方の端部とで５〜２０の明度差を有するようグラデーションが施された扉部材で構成された、少なくとも１つの扉
を備えた冷蔵庫。
【請求項２】
前記一方の端部と前記他方の端部との明度差が１３〜１５である
ことを特徴とする請求項１記載の冷蔵庫。
【請求項３】
前記扉部材は、
当該扉部材に、直接、樹脂塗膜層が印刷されることで前記グラデーションが施されている
ことを特徴とする請求項１記載の冷蔵庫。
【請求項４】
前記扉部材は、
当該扉部材に加飾フィルムが貼り付けられることで前記グラデーションが施されている
ことを特徴とする請求項１記載の冷蔵庫。
【請求項５】
前記一方の端部とは前記扉部材の上部であり、
前記他方の端部とは前記扉部材の下部である
ことを特徴とする請求項１から請求項４のうちのいずれか１項記載の冷蔵庫。
【発明の詳細な説明】
【技術分野】
【０００１】
この発明は、１つ以上の扉を備えた冷蔵庫に関するものである。
【背景技術】
【０００２】
一般的な冷蔵庫として、１つ以上の扉を有する冷蔵庫において、当該扉に装飾用の部材が設けられた冷蔵庫が知られている。
例えば、特許文献１には、複数の扉のうちの特定の扉に、グラデーションの装飾を施したシート部材が設けられた冷蔵庫が開示されている。
【先行技術文献】
【特許文献】
【０００３】
【特許文献１】特開２０１５−０５２４２８号公報
【発明の概要】
【発明が解決しようとする課題】
【０００４】
しかしながら、上述のような従来の冷蔵庫では、グラデーションは、当該グラデーションの装飾を施したシート部材が設けられた特定の扉に対する、使用者の注意を惹き付けることが主な目的として施される。
したがって、上述のような従来の冷蔵庫は、当該冷蔵庫の扉におけるグラデーションの装飾において、自然現象にない状態を表現している。つまり、従来の冷蔵庫は、例えば、光の当たり具合等の自然現象による状態を考慮した、自然な変化のグラデーションを実現しているものではないという課題があった。
また、自然なグラデーションを実現するための構成が明らかではなかったため、グラデーションに用いる印刷材料の量、材料、または、配合を適切にできず、高コストになるという課題があった。【０００５】
この発明は、上記のような課題を解決するためになされたもので、１つ以上の扉を有する冷蔵庫において、自然な変化のグラデーションを実現して、意匠性を高め、さらに低コストとすることができる冷蔵庫を提供することを目的とする。
【課題を解決するための手段】
【０００６】
この発明に係る冷蔵庫は、前面が、一方の端部と他方の端部とで５〜２０の明度差を有するようグラデーションが施された扉部材で構成された、少なくとも１つの扉を備えたものである。
【発明の効果】
【０００７】
この発明に係る冷蔵庫によれば、１つ以上の扉を有する冷蔵庫において、自然な変化のグラデーションを実現して、意匠性を高めた冷蔵庫を提供することができる。
【図面の簡単な説明】
【０００８】
【図１】実施の形態１に係る冷蔵庫の構成例を説明する図であり、冷蔵庫が置かれた状態で正面からみた正面図であって、図１Ａは、上下に６つの扉を有する冷蔵庫を示し、図１Ｂは、上下に５つの扉を有する冷蔵庫を示し、図１Ｃは、上下に３つの扉を有する冷蔵庫を示す図である。
【図２】実施の形態１において、グラデーションが施された扉部材の、冷蔵庫が置かれた状態での一例を示す図である。
【図３】実施の形態１において、対角線方向にグラデーションを有するようにグラデーションが施された扉部材の一例であって、図３Ａは、左上端部の明度が最も高く、右下端部の明度が最も低くなるグラデーションが施された扉部材の一例を示す図であり、図３Ｂは、右上端部の明度が最も高く、左下端部の明度が最も低くなるグラデーションが施された扉部材の一例を示す図である。
【発明を実施するための形態】
【０００９】
以下、この発明の実施の形態について、図面を参照しながら詳細に説明する。
実施の形態１．
実施の形態１において、冷蔵庫とは、一般的な家庭用の冷蔵庫であり、複数の扉を有する冷蔵庫を想定している。
図１は、実施の形態１に係る冷蔵庫１ａ〜１ｃの構成例を説明する図であり、冷蔵庫１ａ〜１ｃが置かれた状態で正面からみた正面図である。
図１Ａは、上下に６つの扉を有する冷蔵庫１ａを示し、図１Ｂは、上下に５つの扉を有する冷蔵庫１ｂを示し、図１Ｃは、上下に３つの扉を有する冷蔵庫１ｃを示している。
以下の説明において、冷蔵庫１ａ〜１ｃを、まとめて、冷蔵庫１ともいうものとする。
なお、図１において、冷蔵庫１の扉は、閉められている。
【００１０】
図１Ａ〜図１Ｃに示すように、冷蔵庫１が有する複数の扉のうちの少なくとも１つの扉（図１Ａにおける２ａ、図１Ｂにおける２ｂ、および、図１Ｃにおける２ｃ）は、グラデーションを有している。
具体的には、冷蔵庫１が有する複数の扉のうちの少なくとも１つの扉は、当該扉の前面に、明度差を有するようグラデーションが施された、装飾用の扉部材が貼り付けられることで構成されている。扉部材は、例えば、ガラス、金属鋼板、樹脂板、または、人工大理石等で構成された、板状の部材で製作される。
【００１１】
図１Ａ〜図１Ｃに示すように、冷蔵庫１ａの扉２１ａ、扉２２ａ、扉２ｂ、および、扉２ｃの扉部材は、それぞれ、上部（図１Ａの１０１，図１Ｂの１０３，図１Ｃの１０５参照）の明度が最も高く、下部（図１Ａの１０２，図１Ｂの１０４，図１Ｃの１０６参照）の明度が最も低くなる明度差を有するよう、グラデーションが施されている。
扉部材にグラデーションを施す具体的な方法は後述する。
【００１２】
図１Ａ〜図１Ｃにおいて、冷蔵庫１の扉部材は、当該扉部材の上部（図１Ａの１０１，図１Ｂの１０３，図１Ｃの１０５参照）から、当該扉部材の下部（図１Ａの１０２，図１Ｂの１０４，図１Ｃの１０６参照）にかけて、なだらかな明度差を有するよう、グラデーションが施されている。また、グラデーションが施されている扉部材の下部（図１Ａの１０２，図１Ｂの１０４，図１Ｃの１０６参照）と、当該扉部材よりも下のほうに位置する、グラデーションが施されていない扉部材（図１Ａの１０７，図１Ｂの１０８，図１Ｃの１０９）とは、同じ明度差を有する。実施の形態１において、同じ明度差とは、厳密に同じ明度差である必要はなく、略同じ明度差も含む。
【００１３】
このように、冷蔵庫１ａ〜１ｃにおいて、扉２ａ〜２ｃは、それぞれ、冷蔵庫１ａ〜１ｃが置かれた状態で、上部から下部にかけて徐々に暗くなるよう明度差を有する扉部材で構成される。これにより、扉２ａ〜２ｃの前面が、明度差を有するようになっている。
その結果、冷蔵庫１ａ〜１ｃは、ユーザに対して、まるで自然な光が当たったかのような、自然な明度の変化を感じさせることができる。
【００１４】
ここで、冷蔵庫１において、グラデーションが施された扉部材が有する明度差について説明する。
明度は、色彩の明るさを示す指標であり、例えば色差計にて測定可能であり、Ｌ＊値で示すことができる。
明度が最も高い白色では明度Ｌ＊値を１００で表し、明度が最も低い黒色ではＬ＊値を０で表す。白色でも黒色でもない色彩では、その色彩の明るさに応じて０から１００の間の値を取る。
なお、図１Ａ〜図１Ｃのような印刷物において、予め想定した明度を正確に再現することは困難であり、図１Ａ〜図１Ｃにおいても正確な明度値を再現できていない可能性がある。しかし、明度はそのもの自体の色彩を表す指標の一つであり、上記のように、例えば、色差計を用いて測定することができる。
グラデーションが施された扉部材の上部の明度をＡ、当該扉部材の下部の明度をＢとすると、扉部材の上部と下部との明度差は、「Ａ−Ｂ」、または、「Ｂ−Ａ」によって算出される数値である。
【００１５】
例えば、図１Ａ〜図１Ｃに示した冷蔵庫１ａ〜１ｃがそれぞれ有する扉２ａ〜２ｃの扉部材の上部（図１Ａの１０１，図１Ｂの１０３，図１Ｃの１０５参照）と下部（図１Ａの１０２，図１Ｂの１０４，図１Ｃの１０６参照）の明度差を、「５〜２０」とすることで、冷蔵庫１ａ〜１ｃは、扉部材の明度が、グラデーションらしい意匠性を保ちながらも、自然な光が当たったかのような変化となり、意匠性をさらに向上させることができる。すなわち、冷蔵庫１ａ〜１ｃは、扉部材が、ユーザにとって、徐々に色が変化していることを目で見て十分に認識でき、かつ、それが自然な変化となるようになっている。
【００１６】
図２は、実施の形態１において、グラデーションが施された扉部材の、冷蔵庫１が置かれた状態での一例を示す図である。なお、図２では、グラデーションが施された１枚の扉部材を示している。
図２Ａは、扉部材の上部と下部の明度差が「５」となるよう、グラデーションが施された扉部材を示し、図２Ｂは、扉部材の上部と下部の明度差が「１４」となるよう、グラデーションが施された扉部材を示し、図２Ｃは、冷蔵庫１を置いた状態における扉部材の上部と下部の明度差が「２０」となるよう、グラデーションが施された扉部材を示している。
【００１７】
色差計で測定された明度に基づき、明度差を有するようグラデーションが施されることで、扉部材は、図２Ａ〜図２Ｃに示すように、扉部材の上部と下部の明度差が大きくなればなるほど、コントラスト差が大きいグラデーションを有するようになる。
例えば、扉部材において、最も明度が高い箇所と、最も明度が低い箇所との明度差が「１４」である場合（図２Ｂ参照）、扉部材は、グラデーションらしい意匠性と自然な光が当たったかのような意匠性との両方が最も際立ち、最も明度が高い箇所と最も明度が低い箇所との明度差が「５」または「２０」である場合（図２Ａ，図２Ｃ参照）と比べて、意匠性がさらに向上する。
なお、扉部材において、グラデーションらしい意匠性と自然な光が当たったかのような意匠性との両方を最も際立たせるための、最も明度が高い箇所と、最も明度が低い箇所との明度差は、「１４」が最適ではあるが、当該明度差は、「１４±１」の範囲内の明度差であっても、ほぼ同様の効果を得ることができる。
【００１８】
また、扉部材において、最も明度が高い箇所と、最も明度が低い箇所との明度差が「５〜２０」の範囲内となっていれば、扉部材の明度を、グラデーションらしい意匠性を保ちながらも、自然な光が当たったかのような変化とすることができる。
よって、扉部材は、当該扉部材における、最も明度が高い箇所と、最も明度が低い箇所との明度差が、少なくとも、「５〜２０」の範囲内となるよう、グラデーションが施されているようにする。
【００１９】
次に、扉部材にグラデーションを施す具体的な方法について説明する。
例えば、扉部材は、当該扉部材に、直接、樹脂塗膜層が印刷されることで、グラデーションが施される。
また、例えば、扉部材は、当該扉部材に、加飾フィルムが貼り付けられることで、グラデーションが施されるようにしてもよい。
【００２０】
以上のように、実施の形態１に係る冷蔵庫１は、扉２ａ〜２ｃを構成する扉部材における、最も明度が高い箇所と、最も明度が低い箇所との明度差が、少なくとも、「５〜２０」の範囲内となるよう、グラデーションが施されることで、自然現象による状態を考慮した、自然な変化のグラデーションを実現し、意匠性を高めた冷蔵庫１となっている。
また、実施の形態１に係る冷蔵庫１は、扉２ａ〜２ｃを構成する扉部材における、最も明度が高い箇所と、最も明度が低い箇所との明度差が、特に、「１４±１」、すなわち、「１３〜１５」の範囲となるよう、グラデーションが施されていることで、自然現象による状態を考慮した、自然な変化のグラデーションを実現するのに最適な明度差とした冷蔵庫１となる。
【００２１】
なお、以上の実施の形態１では、扉部材は板状の部材としたが、これは一例に過ぎず、扉部材は、冷蔵庫１に使用される外装材であればよい。例えば、扉部材は、全面にわたって湾曲した形状の部材としてもよいし、角に丸みを帯びた形状を有している部材としてもよい。
【００２２】
また、以上の実施の形態１では、図１に示すように、一例として、冷蔵庫１は、上下に複数の扉を有するものを想定したが、これは一例に過ぎない。
例えば、冷蔵庫１は、左右に複数の扉を有するものであってもよい。
また、例えば、冷蔵庫１は、扉を１つのみ有するものであってもよく、冷蔵庫１は、１つ以上の扉を有するようになっていればよい。
【００２３】
また、以上の実施の形態１では、冷蔵庫１が有する複数の扉のうちの少なくとも１つの扉２ａ〜２ｃの前面が、冷蔵庫が置かれた状態で、上下方向に、上部の明度が最も高く、下部の明度が最も低くなるようにグラデーションが施された扉部材で構成されるものとしたが、これは一例に過ぎない。
例えば、冷蔵庫１が有する複数の扉のうちの少なくとも１つの扉の前面が、対角線上の一方の端部の明度が最も高く、他方の端部の明度が最も低くなるようにグラデーションが施された扉部材で構成されるようにしてもよい（図３Ａ，図３Ｂ参照）。
冷蔵庫１が有する扉のうちの少なくとも１つの扉の前面が、一方の端部と他方の端部とで、「５〜２０」の明度差を有するようグラデーションが施された扉部材で構成されているようになっていればよい。
【００２４】
また、以上の実施の形態１では、グラデーションは、１つの扉部材で完結するように施されることを前提として説明したが、これに限らず、グラデーションは、１つ以上の扉部材に跨って施されるようにしてもよい。ただし、その場合、１つ以上の扉部材に施されたグラデーションは、冷蔵庫１が置かれた状態で、当該冷蔵庫１の扉が有する扉部材全体にわたって、自然なグラデーションとなるよう、施されるものとする。
【００２５】
以上のように、実施の形態１によれば、冷蔵庫１は、前面が、一方の端部と他方の端部とで５〜２０の明度差を有するようグラデーションが施された扉部材で構成された、少なくとも１つの扉２ａ〜２ｃを備えるようにした。その結果、扉部材を最適な明度差とすることで、扉２ａ〜２ｃの明度が、グラデーションらしい意匠性を保ちながらも、自然な光が当たったかのような変化となるようにすることができ、冷蔵庫１の意匠性を高め、さらに低コストとすることができる。
【００２６】
なお、本願発明はその発明の範囲内において、実施の形態の任意の構成要素の変形、もしくは実施の形態の任意の構成要素の省略が可能である。
【産業上の利用可能性】
【００２７】
この発明に係る冷蔵庫は、扉の明度が、グラデーションらしい意匠性を保ちながらも、自然な光が当たったかのような変化となるようにすることができるように構成したため、１つ以上の扉を備えた冷蔵庫に適用することができる。
【符号の説明】
【００２８】
１ａ，１ｂ，１ｃ  冷蔵庫、２ａ，２ｂ，２ｃ，２１ａ，２２ａ  扉。
【図１】
2019163091.tif 000003
【図２】
2019163091.tif 000004
【図３】
2019163091.tif 000005
【手続補正書】
【提出日】平成30年7月19日(2018.7.19)
【手続補正１】
【補正対象書類名】明細書
【補正対象項目名】００１１
【補正方法】変更
【補正の内容】
【００１１】
図１Ａ〜図１Ｃに示すように、冷蔵庫１の扉２１ａ、扉２２ａ、扉２ｂ、および、扉２ｃの扉部材は、それぞれ、上部（図１Ａの１０１，図１Ｂの１０３，図１Ｃの１０５参照）の明度が最も高く、下部（図１Ａの１０２，図１Ｂの１０４，図１Ｃの１０６参照）の明度が最も低くなる明度差を有するよう、グラデーションが施されている。
扉部材にグラデーションを施す具体的な方法は後述する。
【手続補正２】
【補正対象書類名】明細書
【補正対象項目名】００１２
【補正方法】変更
【補正の内容】
【００１２】
図１Ａ〜図１Ｃにおいて、冷蔵庫１の扉部材は、当該扉部材の上部（図１Ａの１０１，図１Ｂの１０３，図１Ｃの１０５参照）から、当該扉部材の下部（図１Ａの１０２，図１Ｂの１０４，図１Ｃの１０６参照）にかけて、なだらかな明度差を有するよう、グラデーションが施されている。また、グラデーションが施されている扉部材の下部（図１Ａの１０２，図１Ｂの１０４，図１Ｃの１０６参照）と、当該扉部材よりも下のほうに位置する、グラデーションが施されていない扉部材（図１Ａの１０７，図１Ｂの１０８，図１Ｃの１０９）とは、同じ明度を有する。実施の形態１において、同じ明度とは、厳密に同じ明度差である必要はなく、略同じ明度も含む。
【手続補正書】
【提出日】平成30年10月17日(2018.10.17)
【手続補正１】
【補正対象書類名】明細書
【補正対象項目名】０００６
【補正方法】変更
【補正の内容】
【０００６】
この発明に係る冷蔵庫は、前面が、上部の明度が最も高く、下部の明度が最も低くなる５〜２０の明度差を有するようグラデーションが施された扉部材で構成された、少なくとも１つの扉を備えたものである。
【手続補正２】
【補正対象書類名】特許請求の範囲
【補正対象項目名】全文
【補正方法】変更
【補正の内容】
【特許請求の範囲】
【請求項１】
前面が、上部の明度が最も高く、下部の明度が最も低くなる５〜２０の明度差を有するようグラデーションが施された扉部材で構成された、少なくとも１つの扉
を備えた冷蔵庫。
【請求項２】
前記上部と前記下部との明度差が１３〜１５である
ことを特徴とする請求項１記載の冷蔵庫。
【請求項３】
前記扉部材は、
当該扉部材に、直接、樹脂塗膜層が印刷されることで前記グラデーションが施されている
ことを特徴とする請求項１記載の冷蔵庫。
【請求項４】
前記扉部材は、
当該扉部材に加飾フィルムが貼り付けられることで前記グラデーションが施されている
ことを特徴とする請求項１記載の冷蔵庫。
【国際調査報告】
2019163091.tif 000006
2019163091.tif 000007